(57)【要約】      （修正有）【課題】一つの端子と独立の端子の中段で一体的にブリッジ部が形成され、二つのブリッジ部が互いに接続されて、二つの端子が短絡するアダプタ構造を提供する。【解決手段】複数の端子３１が、絶縁板体３４の前後端に、それぞれ複数の接触部３１１とピン部３１２を形成し、それらの接触部３１１とピン部３１２の間に、第１のブリッジ部３２１と第２のブリッジ部３３１を備える短絡部３１３が設置され、第１、第２のブリッジ部３２１、３３１が、それぞれ複数の端子３１のうちの１本と独立の端子３３の中段で湾曲して形成され、第１、第２のブリッジ部３２１、３３１が互いに接続され、二つの端子を短絡する。【選択図】図２
0003137737.tif 000002
【実用新案登録請求の範囲】
【請求項１】
下蓋と、前記下蓋をカバーする上蓋と、前記上蓋と前記下蓋との間に収納され、複数の端子と独立の端子及び一絶縁板体を有する端子モジュールとを含み、
前記複数の端子及び独立の端子が、所定の間隔を空けて、前記絶縁板体に嵌設され、前記複数の端子が、前記絶縁板体の前後端に、それぞれ、複数の接触部とピン部とを形成し、前記接触部とピン部との間に、第１のブリッジ部と第２のブリッジ部とを備える短絡部が設置され、前記第１のブリッジ部が、前記複数の端子のうちの１本の中段で湾曲して形成され、前記第２のブリッジ部が、前記独立の端子の中段で湾曲して形成され、前記第１、第２のブリッジ部が、互い接続して短絡部を形成することを特徴とするアダプタ構造。
【請求項２】
前記第１のブリッジ部に凹部が設けられ、前記第２のブリッジ部に凸部が設けられ、前記凸部と凹部とが、互い係合することを特徴とする請求項１に記載のアダプタ構造。
【請求項３】
前記凹部は、ダブテール加工された槽形状であることを特徴とする請求項２に記載のアダプタ構造。
【請求項４】
前記凸部は、ダブテール加工された台形状であることを特徴とする請求項２に記載のアダプタ構造。
【請求項５】
前記端子モジュールの一方の側部に、立ち上がり板が設けられ、
前記立ち上がり板は、前記端子モジュールの端子の中の最も外側の１本の中段から湾曲して形成され、該立ち上がり板に、二つの突出が設けられ、該二つの突出が、所定の間隔を空けて設置されることを特徴とする請求項１に記載のアダプタ構造。
【請求項６】
さらに、切替えキーを含み、該切替えキーが、摺動可能に前記上蓋と下蓋との間に設置され、該切替えキーに、前記立ち上がり板の突出に合わせる凹み穴が設けられることを特徴とする請求項５に記載のアダプタ構造。
【請求項７】
前記独立の端子においては、前記絶縁板体の後端側に、もう一つのピン部が設けられ、該もう一つのピン部は、前記複数の端子のピン部に並列に配列されることを特徴とする請求項１に記載のアダプタ構造。
【考案の詳細な説明】
【技術分野】
【０００１】
本考案は、アダプタ構造に関し、特に、直接、端子の中段にある材料により、２本の端子を短絡するアダプタ構造に関する。
【背景技術】
【０００２】
従来のアダプタ構造として、例えば、２００５年５月２１日に公告された中華民国特許出願第９３２１７５７０号（特許文献１）において、「トランスフラッシュアダプタ改良構造」が開示されている。
該アダプタ構造は、接続部が形成された二つの所定端子のピン部後端に、それぞれ、上折り部が形成され、該二つの上折り部の間は、ブリッジ部により接続され、前記二つの所定の端子が短絡している。
【０００３】
しかしながら、従来のアダプタ構造は、製造時において前記二つの所定端子のピン部後端に、予め余計に材料を残さなければならず、また、湾曲して該上折り部を形成するため、それらの端子をプレスする時、必要とする基材の面積が大きくなり、より多い屑が生じ、材料の無駄だけでなく、製造コストが嵩むという課題があった。
【０００４】
そのため、本考案者は、前記課題を解消するため、慎重に研究開発し、また、学理に合わせて、設計が合理的で、有効に前記課題を改善できる本考案を提案する。
【特許文献１】中華民国特許出願第９３２１７５７０号
【考案の開示】
【考案が解決しようとする課題】
【０００５】
本考案の主な目的は、それぞれ、一つの端子と独立の端子の中段で一体的にブリッジ部が形成され、該二つのブリッジ部が互いに接続されて、前記二つの端子が、短絡するアダプタ構造を提供することにある。
【０００６】
本考案の他の目的は、端子から直接、二つの突出が形成され、該アダプタの切替えキーを利用し、前記二つの突出を合わせて、書き込み防止スイッチ構造が構成され、前記切替えキーが、それぞれ、前記二つの突出に位置付けられることにより、該アダプタの書き込み防止機能がＯＮやＯＦＦされるアダプタ構造を提供する。
【課題を解決するための手段】
【０００７】
本考案は、上記の目的を達成するため、下蓋と、該下蓋の上方に嵌設される上蓋と、該上蓋と該下蓋との間に収納され、複数の端子と独立の端子及び一絶縁板体が備えられ、それらの端子と前記独立の端子とが、所定の間隔を空けて、前記絶縁板体に嵌設され、それらの端子において、前記絶縁板体の前後端に、それぞれ、複数の接触部とピン部が形成され、それらの接触部とピン部との間に、短絡部が設置され、該短絡部に、第１のブリッジ部と第２のブリッジ部とが備えられ、前記第１のブリッジ部が、それらの端子のうちのの１本中段で湾曲して形成され、前記第２のブリッジ部が、前記独立の端子の中段で湾曲して形成され、該第１、第２のブリッジ部が、互い接続されて短絡部が形成される端子モジュールと、を有するアダプタ構造である。
【０００８】
本考案は、短絡部が、直接、端子の中段の材料によって形成されるため、効率的に材料を利用でき、また、該短絡部が、容易に成型できるため、コストを低減することができる。
【０００９】
また、本考案は、端子の一方の側部から直接、二つの突出が一体成型されるため、切替えキーとともに、書き込み防止スイッチ構造を構成する。そのため、下蓋において、切替えキーに合わせて他の構造を成型しなくてもよく、プラスチックモールドの成形型を低減できる。
【００１０】
以下、図面を参照しながら、本考案の特長や技術内容について、詳しく説明するが、図面などは参考や説明のためのものであり、本考案は、それによって制限されることがない。
【考案の効果】
【００１１】
本考案によれば、それぞれ、一つの端子と独立の端子の中段で一体的にブリッジ部が形成され、該二つのブリッジ部が互いに接続されて、該二つの端子が短絡するアダプタ構造を得ることができる。
【００１２】
また、端子から直接に、二つの突出が形成され、該アダプタの切替えキーを利用し、該二つの突出を合わせて、書き込み防止スイッチ構造が構成され、該切替えキーが、それぞれ、該二つの突出に位置付けられることにより、該アダプタの書き込み防止機能がＯＮやＯＦＦされるアダプタ構造を得ることができる。
【考案を実施するための最良の形態】
【００１３】
図１乃至図４に示すように、本考案に係わるアダプタ構造は、下蓋１０と上蓋２０、端子モジュール３０及び切替えキー４０を備える。
【００１４】
下蓋１０は、絶縁体であるプラスチック材料から作製され、該下蓋１０に、収納空間１１が凹設され、該下蓋１０の前端に、（トランスフラッシュ等の）電子カード（図に未表示）を挿設する挿入口１２が設けられている。また、該下蓋１０の後端に、複数の開口１３が形成され、該下蓋１０の左側に、欠け口１４が設けられ、また、該欠け口１４の近くに、リブ１５が凸設されている。
【００１５】
上蓋２０は、絶縁体であるプラスチック材料から作製され、前記下蓋１０をカバーする。また、該上蓋２０の左側に、前記下蓋１０の欠け口１４に対応する欠け口２１が設けられる。
【００１６】
端子モジュール３０は、前記収納空間１１内に位置し、上蓋２０と下蓋１０の間に収納され、複数の端子３１と独立の端子３３及び絶縁板体３４を備える。
【００１７】
それらの端子３１と独立の端子３３は、並列に配列され、前記端子３１は、更に、該絶縁板体３４前後端に、それぞれ、複数の接触部３１１と複数のピン部３１２を形成する。それらの接触部３１１は、該挿入口１２に插入された電子カードの対応する箇所に電気的に接続されるように、該収納空間１１内へ伸びている。それらのピン部３１２は、該下蓋１０の開口１３から露出し、電子カードコネクタ内の対応する端子（図に未表示）に電気的に接続される。
【００１８】
前記独立の端子３３においては、前記絶縁板体３４の後端側に、ピン部３３２が形成され、該ピン部３３２は、下蓋１０の対応する開口１３から露出し、前記端子３１のピン部３１２に並列に配列されている。
【００１９】
前記複数の接触部３１１とピン部３１２の間には、短絡部３１３が設置され、該短絡部３１３は、第１のブリッジ部３２１と第２のブリッジ部３３１を備えている。前記第１のブリッジ部３２１は、前記複数の端子３１のうちの一つの端子３２の中段で湾曲して形成され、該第１のブリッジ部３２１の末端に、ダブテール加工された槽形状の凹部３２１１が形成されている。
【００２０】
前記第２のブリッジ部３３１は、前記独立の端子３３の中段で湾曲して形成され、該第２のブリッジ部３３１の末端に、ダブテール加工された台形状の凸部３３１１が形成されている。そして、該凸部３３１１と前記第１のブリッジ部３２１の凹部３２１１とが、互いに係合し、該第１、第２のブリッジ部３２１、３３１が互いに接続して短絡部３１３が形成され、これにより、前記端子３２と前記独立の端子３３とが、短絡するようになされている。
【００２１】
また、前記端子モジュール３０は、左側に、複数の端子３１と一体成形された立ち上がり板３１４が設置されている。該立ち上がり板３１４は、図３に示すように複数の端子３１のうちの最も外側の１本の中段部が、外側へ延設され、さらに上方に湾曲されて形成されている。該立ち上がり板３１４の表面には、下蓋１０の欠け口１４に向けて二つの突出３１４１が設けられ、該二つの突出３１４１が、間隔をあけて設置されている。下蓋１０のリブ１５は、立ち上がり板３１４の内側に当接して、該立ち上がり板３１４を支持し、これにより、構造上の強度が向上される。
【００２２】
絶縁板体３４は、絶縁材料からなり、複数の端子３１と独立の端子３３が、インサート成形（ｉｎｓｅｒｔ−ｍｏｌｄｉｎｇ）により、該絶縁板体３４上に嵌設されている。そして、該絶縁板体３４が複数の端子３１と独立の端子３３を被覆することにより、複数の端子３１と独立の端子３３とが、隔離され、接触することがなく、該絶縁板体３４に、前記短絡部３１３に対応するスロット３４１が形成され、短絡部３１３が、スロット３４１から露出するようになされている。
【００２３】
前記切替えキー４０は、上蓋２０及び下蓋１０の欠け口２１、１４内に収納され、また、該切替えキー４０の底端に、案内槽４１が形成されている。前記切替えキー４０は、案内槽４１により、下蓋１０の欠け口１４の側壁に跨るように設置され、そして、上蓋２０と下蓋１０の間を摺動可能となされている。この切替えキー４０は、書き込み防止状態の切替えに用いられる。更に、切替えキー４０には、立ち上がり板３１４の突出３１４１に対応する凹み穴４２が形成されている。これにより、書き込み防止スイッチ構造が構成され、該切替えキー４０は、ユーザーが操作することにより、それぞれ、該二つの突出３１４１上に位置し、したがって、アダプタに対して、書き込み防止機能のＯＮとＯＦＦを切替えることができる。
【００２４】
以上のように、本考案に係わるアダプタ構造は、二つの端子３２、３３の中段で湾曲して二つのブリッジ部３２１、３３１が形成され、この二つのブリッジ部３２１、３３１が、接続されることにより、短絡部３１３が形成され、二つの端子３２、３３が短絡するようになされる。
したがって、本考案は、二つの端子３２、３３の後端に、予め余計に材料を残す必要がなく、端子３１、３３をプレスする際、必要とする基材面積を低減することができ、不要な屑の発生を低減することができる。これにより、製造コストを低減することができる。
【００２５】
また、本考案によれば、端子３１の一方の側部から一体的に、切替えキー４０に対応する立ち上がり板３１４と二つの突出３１４１が延設される。
したがって、改めて下蓋１０のプラスチックモールドを設計する必要がなく、アダプタの書き込み防止機能を実現することができ、また、下蓋１０のプラスチックモールド構造がより単純になるため、値段が安くなり、製造コストを節約することができる。
【００２６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２７】
【図１】図１は、本考案に係るアダプタ構造の立体組合図である。
【図２】図２は、本考案に係るアダプタ構造の立体分解図である。
【図３】図３は、本考案に係るアダプタ構造の端子と切替えキーの立体図である。
【図３Ａ】図３Ａは、第３図のＡ部分の拡大図である。
【図４】図４は、本考案に係るアダプタ構造の端子モジュールと下蓋とを結合した立体図である。
【符号の説明】
【００２８】
１０            下蓋
１１            収納空間
１２            挿入口
１３            開口
１４            欠け口
１５            リブ
２０            上蓋
２１            欠け口
３０            端子モジュール
３１            端子
３１１          接触部
３１２          ピン部
３１３          短絡部
３１４          立ち上がり板
３１４１        突出
３２            端子
３２１          第１のブリッジ部
３２１１        凹部
３３            独立の端子
３３１          第２のブリッジ部
３３１１        凸部
３３２          ピン部
３４            絶縁板体
３４１          スロット
４０            切替えキー
４１            案内槽
４２            凹み穴
【図１】
0003137737.tif 000003
【図２】
0003137737.tif 000004
【図３】
0003137737.tif 000005
【図３Ａ】
0003137737.tif 000006
【図４】
0003137737.tif 000007